(57)【要約】【課題】  スピニングリールにおいて、スプール軸の摺動効率の低下を抑える。【解決手段】  スプール軸１５は、ステンレス合金製の軸部材であり、最後方へ移動させたとき後端部が第１支持部１４ａより前側に設けられた第１軸部１５ａと、第１軸部１５ａの後部に第１軸部１５ａより小径に形成され外周が第１支持部１４ａに支持される第２軸部１５ｂとを有している。筒状部１２ｂの前部１２ａより前方の第１軸部１５ａ外周は、第２支持部１４ｂによって回転自在に支持されている。筒状部１２ｂの後部１２ｆより後方の第２軸部１５ｂ外周は、第１支持部１４ａによって回転自在に支持されている。【選択図】      図２
2006333706.tif 000002
【特許請求の範囲】
【請求項１】
釣竿に装着され、釣り糸を前方に繰り出し可能なスピニングリールであって、
前記釣竿に装着され、ハンドルを有するリール本体と、
前記リール本体に前後方向に沿って移動可能に装着されたスプール軸と、
前記スプール軸の前端に装着され、外周に前記釣り糸が巻き付けられるスプールと、
前記スプールの外周側に回転可能に設けられ、前記釣り糸を前記スプールに巻き付けるロータと、
前記スプール軸が貫通し、前記ハンドルの回転を前記ロータに伝達するピニオンギアと、
前記リール本体に装着され、前記ピニオンギアの後端部側の前記スプール軸外周を支持する第１支持部とを備え、
前記スプール軸は、最後方へ移動させたとき後端部が前記第１支持部より前側に設けられた第１軸部と、前記第１軸部の後部に前記第１軸部より小径に形成され外周が前記第１支持部に支持される第２軸部とを有している、スピニングリール。
【請求項２】
前記リール本体に装着され、前記ピニオンギアの前端部側の前記第１軸部外周を支持する第２支持部をさらに備えている、請求項１に記載のスピニングリール。
【請求項３】
前記第１軸部は、最後方へ移動させたとき後端部が前記ピニオンギアの後端部より前側に位置するように形成されている、請求項１又は２に記載のスピニングリール。
【請求項４】
前記ピニオンギアは、内周部に前記第１軸部が隙間をあけて貫通する部材である、請求項１から３のいずれか１項に記載のスピニングリール。
【請求項５】
前記第１支持部は、転がり軸受である、請求項１から４のいずれか１項に記載のスピニングリール。
【請求項６】
前記第１支持部は、滑り軸受である、請求項１から４のいずれか１項に記載のスピニングリール。
【請求項７】
前記第１支持部は、合成樹脂製の部材である、請求項６に記載のスピニングリール。
【請求項８】
前記第１支持部は、前記リール本体に装着されている、請求項１から７のいずれか１項に記載のスピニングリール。
【請求項９】
前記リール本体に装着され、前端内周部が前記ピニオンギアの後端部外周を回転自在に支持する第３支持部をさらに備え、
前記第１支持部は、前記第３支持部の後端内周部に装着されている、請求項１から７のいずれか１項に記載のスピニングリール。
【請求項１０】
前記第１軸部及び前記第２軸部は、ステンレス合金製の部材である、請求項１から９のいずれか１項に記載のスピニングリール。
【発明の詳細な説明】
【技術分野】
【０００１】
本発明は、スピニングリール、特に、釣竿に装着され、釣り糸を前方に繰り出し可能なスピニングリールに関する。
【背景技術】
【０００２】
スピニングリールは、一般に、釣竿の軸方向に沿う軸回りに釣り糸を巻き取るリールである。スピニングリールは、ハンドルを有し釣竿に装着されるリール本体と、リール本体に前後移動自在に装着されたスプールと、スプールに釣り糸を案内するロータと、ハンドルの回転に連動してロータを回転させるロータ駆動機構とを備えている。
【０００３】
このロータ駆動機構は、ハンドルに回転不能に装着されたフェースギアと、フェースギアに噛み合うピニオンギアとを有している。ピニオンギアは、リール本体の前後に沿って配置された真鍮製の筒状体であり、リール本体に回転自在に支持されている。
【０００４】
ピニオンギアの外周後部には、フェースギアに噛み合う歯部が形成されている。また前部外周には、ロータを回転不能に装着するための装着部が形成されている。この装着部には、雄ねじ部が形成されており、この雄ねじ部にロータを固定するためのナット部材が装着されている。ピニオンギアの内周部には、スプールを先端に装着したスプール軸が貫通しており、スプール軸は、ピニオンギアの内周部に前後移動自在に支持されている。これにより、スプール軸は、ピニオンギアを介してリール本体に前後移動自在に装着される。また、スプール軸は、ステンレス合金製の部材であり、ピニオンギアの内周面の全長に接触して支持されている。
【０００５】
このような構成のスピニングリールでは、スプール軸がピニオンギアの内周面の全長で支持されているので、スプールに大きな負荷が作用してスプール軸が撓んだ時に、ピニオンギアの内周部とスプール軸との接触圧力が増加してスプール軸とピニオンギアとの摩擦力が増加することがある。両者の摩擦力が増加するとピニオンギアが回りにくくなり、ロータの回転効率が低下し釣り糸の巻き上げ効率が低下する。
【０００６】
そこで、このような不具合を解消するために、ピニオンギアの内周面とスプール軸との間に隙間をあけるとともに、ピニオンギアの前後部内周側でスプール軸を軸方向移動可能に支持するための１対の支持部を設けたものが知られている（たとえば、特許文献１参照）。このような構成にすることにより、スプール軸が撓んでもスプール軸とロータとの摩擦力が増加しにくくなり、このためロータの回転効率の低下を抑えることができる。
【特許文献１】特開平１１−２０６２８７号公報
【発明の開示】
【発明が解決しようとする課題】
【０００７】
前記従来のスピニングリールでは、ピニオンギアの前後部内周側にスプール軸を支持するための１対の支持部を設けることにより、ピニオンギアの内周面とスプール軸との間に隙間が生成されるので、スプール軸が撓んでもスプール軸とピニオンギアとの摩擦力が増加しにくくなる。
【０００８】
しかし、ピニオンギアの前後部内周側には１対の支持部が設けられているので、ピニオンギアの内周部に設けられた支持部とスプール軸の外周部とが接触するようになっている。ここでは、スプール軸が前後移動すると、ピニオンギアの内周部に設けられた支持部とスプール軸の外周部とが摺接するようになっているので、ピニオンギアの内周部に設けられた支持部とスプール軸の外周部との接触圧力が増加してスプール軸とピニオンギアとの摩擦力が増加するおそれがある。スプール軸とピニオンギアの内周部に設けられた支持部との摩擦力が増加すると、スプール軸の摺動効率が低下するおそれが生じる。
【０００９】
本発明の課題は、スピニングリールにおいて、スプール軸の摺動効率の低下を抑えることにある。
【課題を解決するための手段】
【００１０】
発明１に係るスピニングリールは、釣竿に装着され釣り糸を前方に繰り出し可能なスピニングリールであって、釣竿に装着されハンドルを有するリール本体と、リール本体に前後方向に沿って移動可能に装着されたスプール軸と、スプール軸の前端に装着され外周に釣り糸が巻き付けられるスプールと、スプールの外周側に回転可能に設けられ釣り糸をスプールに巻き付けるロータと、スプール軸が貫通しハンドルの回転をロータに伝達するピニオンギアと、リール本体に装着されピニオンギアの後端部側のスプール軸外周を支持する第１支持部とを備えている。スプール軸は、最後方へ移動させたとき後端部が第１支持部より前側に設けられた第１軸部と、第１軸部の後部に第１軸部より小径に形成され外周が第１支持部に支持される第２軸部とを有している。
【００１１】
このスピニングリールでは、スプール軸は、前部に設けられた第１軸部と、後部に第１軸部より小径に設けられ第１支持部に支持される第２軸部とを備えている。ここでは、第１軸部より小径の第２軸部が第１支持部に支持されるので、従来のようにピニオンギアの内周部に大径の第１軸部を支持する１対の支持部を設ける場合に比して、第１支持部における第２軸部の単位重量を減少できる。第１支持部における第２軸部の単位重量が減少すると、第１支持部とスプール軸との摩擦力を減少させることができるので、スプール軸の摺動効率の低下を抑えることができる。
【００１２】
発明２に係るスピニングリールは、発明１のスピニングリールにおいて、リール本体に装着され、ピニオンギアの前端部側の第１軸部外周を支持する第２支持部をさらに備えている。この場合、第１軸部が第２支持部によって支持されているので、スプール軸の支持が確実になる。
【００１３】
発明３に係るスピニングリールは、発明１又は２のスピニングリールにおいて、第１軸部は、最後方へ移動させたとき後端部がピニオンギアの後端部より前側に位置するように形成されている。この場合、第１軸部が常にピニオンギアの後端部より前側に位置しているので、第２軸部の前端部をピニオンギアの後端部より後側に位置することができる。
【００１４】
発明４に係るスピニングリールは、発明１から３のいずれかのスピニングリールにおいて、ピニオンギアは、内周部に第１軸部が隙間をあけて貫通する部材である。この場合、ピニオンギアの内周部と第１軸部との間に全長にわたって隙間が生成されるので、ピニオンギアの内周部と第１軸部の外周部とが接触しなくなる。したがって、スプール軸とピニオンギアとの摩擦力がさらに増加することがなくなるので、ロータの回転効率の低下を抑えることができる。
【００１５】
発明５に係るスピニングリールは、発明１から４のいずれかのスピニングリールにおいて、第１支持部は、転がり軸受である。この場合、一般に、静摩擦係数が低い転がり軸受を用いることにより、比較的小さい力でスプール軸を支持することができる。
【００１６】
発明６に係るスピニングリールは、発明１から４のいずれかのスピニングリールにおいて、第１支持部は、滑り軸受である。この場合、たとえば筒状のブッシュ部材等の汎用の滑り軸受を用いることにより、安価な構成で、スプール軸を支持することができる。
【００１７】
発明７に係るスピニングリールは、発明６のスピニングリールにおいて、第１支持部は、合成樹脂製の部材である。この場合、合成樹脂製のブッシュ部材を用いることにより、金属製のブッシュ部材に比して、より安価な構成で形成できるとともに、耐食性を向上できる。
【００１８】
発明８に係るスピニングリールは、発明１から７のいずれかのスピニングリールにおいて、第１支持部は、リール本体に装着されている。この場合、第１支持部の取り付けが容易になる。
【００１９】
発明９に係るスピニングリールは、発明１から７のいずれかのスピニングリールにおいて、リール本体に装着され、前端内周部がピニオンギアの後端部外周を回転自在に支持する第３支持部をさらに備えている。第１支持部は、第３支持部の後端内周部に装着されている。この場合、第３支持部は、ピニオンギアの後端部と第１支持部とをともに支持しているので、スプール軸支持構造が簡素になる。
【００２０】
発明１０に係るスピニングリールは、発明１から９のいずれかのスピニングリールにおいて、第１軸部及び第２軸部は、ステンレス合金製の部材である。この場合、ステンレス合金によりスプール軸の強度を高く維持できる。
【発明の効果】
【００２１】
本発明によれば、スピニングリールにおいて、スプール軸は、前部に設けられた第１軸部と、後部に第１軸部より小径に設けられ第１支持部に支持される第２軸部とを備えているので、第１支持部における第２軸部の単位重量を減少できる。第１支持部における第２軸部の単位重量が減少すると、第１支持部とスプール軸との摩擦力を減少させることができるので、スプール軸の摺動効率の低下を抑えることができる。
【発明を実施するための最良の形態】
【００２２】
本発明の一実施形態によるスピニングリールは、図１に示すように、ハンドル１を備えたリール本体２と、リール本体２の前部に回転自在に支持されたロータ３と、ロータ３の前部に配置された釣り糸を巻き取るスプール４とを備えている。
【００２３】
リール本体２は、釣竿に装着される前後に長い装着部２ｃと、装着部２ｃと間隔を隔てて配置されたリールボディ２ａと、装着部２ｃとリールボディ２ａとを連結する脚部２ｂとを有している。リールボディ２ａは、内部に機構装着空間を有し、脚部２ｂと一体形成され側部が開口する筐体部２ｆと、筐体部２ｆを塞ぐ図示しない蓋部材とを有している。リールボディ２ａの前部には、取付フランジ付きの金属製の筒状の取付部材２ｅが装着されている。
【００２４】
リールボディ２ａの側部には、図１及び図２に示すように、後述するスプール軸１５が貫通し、かつ後述する第１支持部１４ａを収納可能な筒状の取付凹部２ｇが形成されている。取付凹部２ｇは、リールボディ２ａの側方に突出した部分をＴスロットによる切削加工によって形成されている。また、リールボディ２ａ及び図示しない蓋部材の側部には、ハンドル軸１０が挿通可能な図示しない円形の貫通孔がそれぞれ形成されている。リールボディ２ａ及び図示しない蓋部材の内側面の貫通孔の周囲には、ハンドル軸１０を回転自在に支持する図示しない転がり軸受が収納可能な装着凹部２ｈがそれぞれ凹んで形成されている。ここでは、取付凹部２ｇは、Ｔスロットによる切削加工によって形成されているので、装着凹部２ｈは、側面から見て取付凹部２ｇの後端部の一部がオーバーラップする位置に配置することができる。このため、従来のように取付凹部２ｇの後端部の一部を切り欠く加工を施す必要がなくなるとともに、装着凹部２ｈを大径化できるのでハンドル軸１０を支持する転がり軸受を大きくできるので、転がり軸受にかかる耐荷重を増加できる。
【００２５】
リールボディ２ａの内部には、ロータ３を回転させるためのロータ駆動機構５と、ロータ３の糸繰り出し方向の回転（逆転）を制動するためのレバーブレーキ機構７と、スプール軸１５を介してスプール４を前後に往復移動させるオシレーティング機構６とが設けられている。
【００２６】
ロータ３は、リール本体２に回転自在に支持されている。ロータ３は、円筒部３０と、円筒部３０の側方に互いに対向して設けられた第１ロータアーム３１及び第２ロータアーム３２とを有している。円筒部３０の前壁３３の中央部には貫通孔を有するボス部３３ａが形成されている。この貫通孔に後述するスプール軸１５及びピニオンギア１２が貫通している。第１ロータアーム３１の先端と第２ロータアーム３２の先端部とには、揺動自在にベールアーム１７が設けられている。このベールアーム１７により釣り糸がスプール４に案内される。
【００２７】
スプール４は、ロータ３の第１ロータアーム３１と第２ロータアーム３２との間に配置されており、スプール軸１５の先端に着脱自在かつ回転不能に装着されている。
【００２８】
スプール４は、筒状の糸巻胴部４ａと、糸巻胴部４ａの後端部に糸巻胴部４ａより大径に形成された筒状のスカート部４ｂと、糸巻胴部４ａの前部に前方に傾斜して形成されたフランジ部４ｃとを有している。
【００２９】
ロータ駆動機構５は、ハンドル１が回転不能に固定されたハンドル軸１０とともに回転するフェースギア１１と、このフェースギア１１に噛み合うピニオンギア１２とを有している。
【００３０】
ハンドル軸１０は、リール本体２に回転自在に支持されている。ピニオンギア１２は筒状に形成されており、ピニオンギア１２の前部１２ａはロータ３の貫通孔を貫通してスプール４側に延びている。ピニオンギア１２の前部１２ａで、ロータ３はナット部材１３によりピニオンギア１２に回転不能に固定されている。
【００３１】
ピニオンギア１２は、ステンレス合金製の筒状部材であって、ピニオンギア１２の前部１２ａはロータ３の中心部を貫通し、ナット部材１３によりロータ３と固定されている。ピニオンギア１２は、図１及び図２に示すように、中間部１２ｉの２箇所が、それぞれ転がり軸受からなる第３支持部１４ｃ及び第４支持部１４ｄを介してリール本体２に回転自在に支持されている。
【００３２】
ピニオンギア１２は、図２に示すように、釣竿の軸方向に沿う軸回りに回転自在にリール本体２に装着されており、ピニオンギア１２の前部１２ａはロータ３の中心部を貫通し、ナット部材１３によりロータ３に固定されている。ピニオンギア１２は、内周部にスプール軸１５が隙間１２ｅをあけて貫通する筒状部１２ｂと、筒状部１２ｂの後部１２ｆ外周に設けられフェースギア１１に噛み合う歯部１２ｃと、筒状部１２ｂの前部１２ａ外周に設けられロータ３に回転不能に装着される装着部１２ｄを有している。
【００３３】
筒状部１２ｂは、図２に示すように、ステンレス合金製の筒状の部材であり、中間部１２ｉの２箇所が、それぞれ第３支持部１４ｃ及び第４支持部１４ｄを介してリール本体２に回転自在に支持されている。筒状部１２ｂの内部には、スプール軸１５が貫通しており、筒状部１２ｂとスプール軸１５との間には、隙間１２ｅが生成されている。
【００３４】
歯部１２ｃは、図２に示すように、筒状部１２ｂの中間部１２ｉと後部１２ｆとの間の外周にはす歯状に形成されており、フェースギア１１に噛み合っている。歯部１２ｃは、後述するオシレーティング機構６の中間ギア２０にも噛み合っている。
【００３５】
装着部１２ｄは、図２に示すように、筒状部１２ｂの前部１２ａ外周に面取り形成された対向する平坦面からなる面取り部１２ｈと、面取り部１２ｈの前側に形成された雄ねじ部１２ｇとにより構成され、ロータ３に回転不能に装着される。雄ねじ部１２ｇは、装着部１２ｄの前側外周面に形成されており、雄ねじ部１２ｇにナット部材１３が螺合する。ナット部材１３は、図１及び図２に示すように、リテーナ１３ａにより回り止めされている。リテーナ１３ａは、ロータ３の前壁３３に抜け止めばね１３ｂにより係止されている。
【００３６】
第３支持部１４ｃ及び第４支持部１４ｄは、図２に示すように、筒状部１２ｂの中間部１２ｉの２箇所の外周に装着された転がり軸受である。第３支持部１４ｃ及び第４支持部１４ｄは、外輪が取付部材２ｅの内周部に装着され、内輪が筒状部１２ｂの面取り部１２ｈ形成部分の後側に形成された中間部１２ｉに装着されている。ここでは、第３支持部１４ｃ及び第４支持部１４ｄが、筒状部１２ｂの歯部１２ｃより前部の中間部１２ｉを支持する位置に配置されているので、ピニオンギア１２全体の前後長さを短くできる。
【００３７】
スプール軸１５は、図１及び図２に示すように、ステンレス合金製の軸部材であり、前端部にはドラグ機構６０を介してスプール４が連結され、後端部には後述するオシレーティング機構６のスライダ２２が固定されている。スプール軸１５は、ピニオンギア１２の内周部を貫通しており、筒状部１２ｂの後部１２ｆより後方及び筒状部１２ｂの前部１２ａより前方のスプール軸１５外周は、それぞれ第１支持部１４ａ及び第２支持部１４ｂによって回転自在に支持されている。
【００３８】
スプール軸１５は、図２に示すように、最後方へ移動させたとき後端部が第１支持部１４ａより前側に設けられた第１軸部１５ａと、第１軸部１５ａの後部に第１軸部１５ａより小径に形成され外周が第１支持部１４ａに支持される第２軸部１５ｂとを有している。
【００３９】
第１軸部１５ａは、図２に示すように、ピニオンギア１２の内周部を貫通するステンレス合金製の軸部材であり、筒状部１２ｂの前部１２ａより前方の第１軸部１５ａ外周は、第２支持部１４ｂによって回転自在に支持されている。第１軸部１５ａとピニオンギア１２の内周部との間には、隙間１２ｅが生成されている。また、第１軸部１５ａの後端部は、最後方へ移動させたときピニオンギア１２の後端部より前側に位置しており、このため第１軸部１５ａが第２軸部１５ｂを支持する第１支持部１４ａに干渉することがなくなる。なお、第１軸部１５ａの前端部には、ドラグ機構６０を介してスプール４が連結されている。
【００４０】
第２軸部１５ｂは、図２に示すように、第１軸部１５ａの後端部に第１軸部１５ａより小径となるように第１軸部１５ａと一体成形されたステンレス合金製の軸部材であり、筒状部１２ｂの後部１２ｆより後方の第２軸部１５ｂ外周は、第１支持部１４ａによって回転自在に支持されている。なお、第２軸部１５ｂの後端部には、オシレーティング機構６のスライダ２２が固定されている。
【００４１】
第１支持部１４ａは、図２に示すように、合成樹脂製の筒状部材であって、ブッシュ部材等の汎用の滑り軸受である。第１支持部１４ａは、外周が取付凹部２ｇの内周部に装着され、内周が筒状部１２ｂの後部１２ｆより後方の第２軸部１５ｂ外周に装着されている。
【００４２】
第２支持部１４ｂは、図２に示すように、第１軸部１５ａの外周に装着された転がり軸受である。第２支持部１４ｂは、外輪がナット部材１３の前端側内周部に装着され、内輪が筒状部１２ｂの前部１２ａより前方の第１軸部１５ａ外周に装着されている。
【００４３】
オシレーティング機構６は、トラバースカム式のものであり、ピニオンギア１２に噛み合う中間ギア２０と、リールボディ２ａにスプール軸１５と平行な軸回りに回転自在に装着された螺軸２１と、螺軸２１の回転により前後移動するスライダ２２とを有している。スライダ２２にスプール軸１５の後端部が回転不能かつ軸方向移動不能に取り付けられている。
【００４４】
レバーブレーキ機構７は、制動部７ａと、制動部７ａの制動力を調整操作するための制動レバー７ｂと、制動レバー７ｂを装着部２ｃから離反する方向に付勢するコイルばね７ｃとを主に有している。
【００４５】
次に、リールの操作及び動作について詳細に説明する。
【００４６】
キャスティング時にはベールアーム１７を糸開放姿勢側に倒し、キャスティングすることにより、スプール４の外周から釣り糸が繰り出される。糸巻き取り時には、ハンドル１を糸巻き取り方向に回転させると、ベールアーム１７が図示しない戻し機構により糸巻き取り姿勢に戻る。ハンドル１の回転力は、ハンドル軸１０、フェースギア１１を介してピニオンギア１２に伝達される。ピニオンギア１２に伝達された回転力は、ピニオンギア１２の前部１２ａを介してロータ３に伝達される。ピニオンギア１２が回転すると、スプール軸１５が前後方向に往復移動する。
【００４７】
ロータ３を逆転させて魚とやりとりする時には、制動レバー７ｂをたとえば人差し指により装着部２ｃ側に引き込み操作して制動力を調整する。
【００４８】
このようなスピニングリールでは、ピニオンギア１２の筒状部１２ｂの後部１２ｆより後方及び筒状部１２ｂの前部１２ａより前方のスプール軸１５外周をそれぞれ支持する第１支持部１４ａ及び第２支持部１４ｂを設けることにより、ピニオンギア１２の内周部とスプール軸１５との間に全長にわたって隙間１２ｅが生成される。したがって、ピニオンギア１２の内周部とスプール軸１５の外周部とが接触しなくなるので、スプール軸１５とピニオンギア１２との摩擦力がさらに増加することがなくなり、このためロータ３の回転効率の低下をさらに抑えることができる。
【００４９】
また、ここでは、スプール軸１５は、最後方へ移動させたとき後端部が第１支持部１４ａより前側に設けられた第１軸部１５ａと、第１軸部１５ａの後部に第１軸部１５ａより小径に形成され外周が第１支持部１４ａに支持される第２軸部１５ｂとを有している。したがって、第１支持部１４ａとスプール軸１５との摩擦力を減少させることができるので、スプール軸１５の摺動効率の低下を抑えることができる。
【００５０】
〔他の実施形態〕
（ａ）  前記実施形態では、レバーブレーキ式のスピニングリールを例に説明したが、リアドラグ式のスピニングリールやフロントドラグ式のスピニングリール等の全ての形式のスピニングリールに本発明を適用できる。
【００５１】
本発明の他の一実施形態を採用したスピニングリールは、図３及び図４に示すように、ハンドル１０１と、ハンドル１０１を回転自在に支持するリール本体１０２と、ロータ１０３と、スプール１０４とを備えている。ロータ１０３は、リール本体１０２の前部に回転自在に支持されている。スプール１０４は、釣り糸を外周面に巻き取るものであり、ロータ１０３の前部に前後移動自在に配置されている。なお、図３ではハンドル１がリール本体２の左側に、図４では右側に装着している。このように、ハンドル１０１はリール本体１０２の左右いずれにも装着可能である。
【００５２】
ハンドル１０１は、Ｔ字状のハンドル把手１０１ａと、先端にハンドル把手１０１ａが回転自在に装着されたハンドルアーム１０１ｂとを有している。ハンドルアーム１０１ｂの基端部には、ハンドルアーム１０１ｂと交差する方向に延びて形成され、後述するハンドル軸１１０に回転不能に装着されるハンドル軸部１０１ｃをさらに有している。
【００５３】
リール本体１０２は、内部に空間を有するリールボディ１０２ａと、リールボディ１０２ａの空間を塞ぐためにリールボディ１０２ａに着脱自在に装着される蓋部材１０２ｂとを有している。
【００５４】
リールボディ１０２ａは、たとえばアルミニウム合金製であり、上部に前後に延びるＴ字形の竿取付脚１０２ｃが一体形成されている。図２に示すように、リールボディ１０２ａの空間内には、ロータ１０３をハンドル１０１の回転に連動して回転させるロータ駆動機構１０５と、スプール１０４を前後に移動させて釣り糸を均一に巻き取るためのオシレーティング機構１０６とが設けられている。リールボディ１０２ａ及び蓋部材１０２ｂの前端には、円形のフランジ部１０２ｄと、フランジ部１０２ｄより小径で先端が開口する円筒部１０２ｅとが形成されている。円筒部１０２ｅには、断面が円形状に切り欠かれた装着溝１０２ｆが形成されている。
【００５５】
リールボディ１０２ａの側部には、図４及び図５に示すように、後述するスプール軸１１５が貫通し、かつ後述する第３支持部１１４ｃを前方から収納可能な有底筒状の取付凹部１０２ｇが形成されている。取付凹部１０２ｇは、前部が開口し、後部中央にスプール軸１１５が貫通する貫通孔が形成された底部を有するボス部であって、リールボディ１０２ａの側方に突出した部分をＴスロットによる切削加工によって形成されている。また、リールボディ１０２ａ及び蓋部材１０２ｂの側部には、ハンドル軸１１０が挿通可能な図示しない円形の貫通孔がそれぞれ形成されている。リールボディ１０２ａ及び蓋部材１０２ｂの内側面の貫通孔の周囲には、ハンドル軸１１０を回転自在に支持する図示しない転がり軸受が収納可能な装着凹部１０２ｈがそれぞれ凹んで形成されている。ここでは、取付凹部１０２ｇは、Ｔスロットによる切削加工によって形成されているので、装着凹部１０２ｈは、側面から見て取付凹部１０２ｇの後端部の一部がオーバーラップする位置に配置することができる。このため、従来のように取付凹部１０２ｇの後端部の一部を切り欠く加工を施す必要がなくなるとともに、装着凹部１０２ｈを大径化できるのでハンドル軸１１０を支持する転がり軸受を大きくできるので、転がり軸受にかかる耐荷重を増加できる。
【００５６】
蓋部材１０２ｂは、たとえばアルミニウム合金製の部材であり、たとえば３箇所でリールボディ１０２ａにビス止めされている。
【００５７】
ロータ１０３は、図４に示すように、ロータ本体１１６と、ロータ本体１１６の先端に糸開放姿勢と糸巻き取り姿勢とに揺動自在に装着されたベールアーム１１７と、ベールアーム１１７を糸開放姿勢から糸巻き取り姿勢に戻すためにロータ本体１１６に装着されたベール反転機構１１８とを有している。
【００５８】
ロータ本体１１６は、リールボディ１０２ａにスプール軸１１５回りに回転自在に装着された円筒部１３０と、円筒部１３０の側方に互いに対向して設けられた第１ロータアーム１３１及び第２ロータアーム１３２とを有している。円筒部１３０と第１ロータアーム１３１及び第２ロータアーム１３２とは、たとえばアルミニウム合金製であり、一体成形されている。
【００５９】
円筒部１３０の前部には、前壁１３３が形成されており、前壁１３３の中央部には、ボス部１３３ａが形成されている。ボス部１３３ａの中心部には、貫通孔が形成されており、この貫通孔をピニオンギア１１２の前部１１２ａ及びスプール軸１１５が貫通している。前壁１３３の前部にロータ１０３の固定用のナット部材１１３が配置されている。
【００６０】
第１ロータアーム１３１の先端の外周側には、第１ベール支持部材１４０が揺動自在に装着されている。第２ロータアーム１３２の先端内周側には、第２ベール支持部材１４２が揺動自在に装着されている。第１ベール支持部材１４０の先端には、釣り糸をスプール１０４に案内するためのラインローラ１４１と、ラインローラ１４１を挟んで第１ベール支持部材１４０に固定された固定軸カバー１４７とが装着されている。ラインローラ１４１は、第１ベール支持部材１４０の先端に回転自在に装着されている。固定軸カバー１４７は、先端が尖った変形円錐形状である。固定軸カバー１４７の先端部と第２ベール支持部材１４２との間には線材を略Ｕ字状に湾曲させた形状のベール１４３が固定されている。これらの第１ベール支持部材１４０及び第２ベール支持部材１４２、ラインローラ１４１、ベール１４３及び固定軸カバー１４７により、釣り糸をスプール１０４に案内するベールアーム１１７が構成される。
【００６１】
ベール反転機構１１８は、第１ロータアーム１３１の収納空間１４８内に配置されている。ベール反転機構１１８は、ベールアーム１１７を糸開放姿勢から糸巻き取り姿勢にロータ１０３の回転に連動して復帰させるとともに、両姿勢でその状態を保持するために設けられている。
【００６２】
スプール１０４は、ロータ１０３の第１ロータアーム１３１と第２ロータアーム１３２との間に配置されており、スプール軸１１５の先端にドラグ機構１６０を介して装着されている。スプール１０４は、外周に釣り糸が巻かれる糸巻胴部１０４ａと、糸巻胴部１０４ａの後部に一体で形成されたスカート部１０４ｂと、糸巻胴部１０４ａの前端に一体で形成されたフランジ部１０４ｃとを有している。
【００６３】
ロータ駆動機構１０５は、図４に示すように、ハンドル１０１が回転不能に装着されたハンドル軸１１０と、ハンドル軸１１０とともに回転するフェースギア１１１と、このフェースギア１１１に噛み合うピニオンギア１１２とを有している。
【００６４】
ピニオンギア１１２は、ステンレス合金製の筒状部材であって、ピニオンギア１１２の前部１１２ａはロータ１０３の中心部を貫通し、ナット部材１１３によりロータ１０３と固定されている。ピニオンギア１１２は、図４及び図５に示すように、後部１１２ｆと中間部１１２ｉとが、それぞれ転がり軸受からなる第３支持部１１４ｃ及び第４支持部１１４ｄを介してリール本体１０２に回転自在に支持されている。
【００６５】
ピニオンギア１１２は、図５に示すように、釣竿の軸方向に沿う軸回りに回転自在にリール本体１０２に装着されており、ピニオンギア１１２の前部１１２ａはロータ１０３の中心部を貫通し、ナット部材１１３によりロータ１０３に固定されている。ピニオンギア１１２は、内周部にスプール軸１１５が隙間１１２ｅをあけて貫通する筒状部１１２ｂと、筒状部１１２ｂの後部１１２ｆ外周に設けられフェースギア１１１に噛み合う歯部１１２ｃと、筒状部１１２ｂの前部１１２ａ外周に設けられロータ１０３に回転不能に装着される装着部１１２ｄを有している。
【００６６】
筒状部１１２ｂは、図５に示すように、ステンレス合金製の筒状の部材であり、後部１１２ｆと中間部１１２ｉとが、それぞれ第３支持部１１４ｃ及び第４支持部１１４ｄを介してリール本体１０２に回転自在に支持されている。筒状部１１２ｂの内部には、スプール軸１１５が貫通しており、筒状部１１２ｂとスプール軸１１５との間には、隙間１１２ｅが生成されている。
【００６７】
歯部１１２ｃは、図５に示すように、筒状部１１２ｂの中間部１１２ｉと後部１１２ｆとの間の外周にはす歯状に形成されており、フェースギア１１１に噛み合っている。歯部１１２ｃは、後述するオシレーティング機構１０６の中間ギア１２０にも噛み合っている。
【００６８】
装着部１１２ｄは、図５に示すように、筒状部１１２ｂの前部１１２ａ外周に面取り形成された対向する平坦面からなる面取り部１１２ｈと、面取り部１１２ｈの前側に形成された雄ねじ部１１２ｇとにより構成され、ロータ１０３に回転不能に装着される。雄ねじ部１１２ｇは、装着部１１２ｄの前側外周面に形成されており、雄ねじ部１１２ｇにナット部材１１３が螺合する。ナット部材１１３は、図４及び図５に示すように、リテーナ１１３ａにより回り止めされている。リテーナ１１３ａは、ロータ１０３の前壁１３３に前方から装着される複数のねじ部材１１３ｂにより固定されている。
【００６９】
第３支持部１１４ｃ及び第４支持部１１４ｄは、図５に示すように、筒状部１１２ｂの後部１１２ｆと中間部１１２ｉ外周に装着された転がり軸受である。第４支持部１１４ｄは、外輪が円筒部１０２ｅの内周部に装着され、内輪が筒状部１１２ｂの面取り部１１２ｈ形成部分の後側に形成された中間部１１２ｉに装着されている。第３支持部１１４ｃは、有底筒状の取付凹部１０２ｇに前方から収納されており、外輪が取付凹部１０２ｇの内周部に装着され、内輪が歯部１１２ｃより後側の筒状部１１２ｂの後部１１２ｆに装着されている。
【００７０】
第３支持部１１４ｃの外輪は、取付凹部１０２ｇ内周部及び底部の一部のみに接触しており、第３支持部１１４ｃの内輪は、前側部分において筒状部１１２ｂの後部１１２ｆ外周を支持し後側部分において後述するスプール軸１１５支持用の第１支持部１１４ａ外周を支持している。なお、第３支持部１１４ｃの内輪は、取付凹部１０２ｇの底部との間に僅かな隙間が生成されており、このため取付凹部１０２ｇの底部と接触しないようになっている。
【００７１】
スプール軸１１５は、図４及び図５に示すように、ステンレス合金製の軸部材であり、前端部にはドラグ機構１６０を介してスプール１０４が連結され、後端部には後述するオシレーティング機構１０６のスライダ１２２が固定されている。スプール軸１１５は、ピニオンギア１１２の内周部を貫通しており、筒状部１１２ｂの後部１１２ｆより後方及び筒状部１１２ｂの前部１２ａより前方のスプール軸１１５外周は、それぞれ第１支持部１１４ａ及び第２支持部１１４ｂによって回転自在に支持されている。
【００７２】
スプール軸１１５は、図５に示すように、最後方へ移動させたとき後端部が第１支持部１１４ａより前側に設けられた第１軸部１１５ａと、第１軸部１１５ａの後部に第１軸部１１５ａより小径に形成され外周が第１支持部１１４ａに支持される第２軸部１１５ｂとを有している。
【００７３】
第１軸部１１５ａは、図５に示すように、ピニオンギア１１２の内周部を貫通するステンレス合金製の軸部材であり、筒状部１１２ｂの前部１１２ａより前方の第１軸部１１５ａ外周は、第２支持部１１４ｂによって回転自在に支持されている。第１軸部１１５ａとピニオンギア１１２の内周部との間には、隙間１１２ｅが生成されている。また、第１軸部１１５ａの後端部は、最後方へ移動させたときピニオンギア１１２の後端部より前側に位置しており、このため第１軸部１１５ａが第２軸部１１５ｂを支持する第１支持部１１４ａに干渉することがなくなる。なお、第１軸部１１５ａの前端部には、ドラグ機構１６０を介してスプール１０４が連結されている。
【００７４】
第２軸部１１５ｂは、図５に示すように、第１軸部１１５ａの後端部に第１軸部１１５ａより小径となるように第１軸部１１５ａと一体成形されたステンレス合金製の軸部材であり、筒状部１１２ｂの後部１２ｆより後方の第２軸部１１５ｂ外周は、第１支持部１１４ａによって回転自在に支持されている。なお、第２軸部１１５ｂの後端部には、オシレーティング機構１０６のスライダ１２２が固定されている。
【００７５】
第１支持部１１４ａは、図５に示すように、合成樹脂製の筒状部材であって、ブッシュ部材等の汎用の滑り軸受である。第１支持部１１４ａは、外周が第３支持部１１４ｃの後端内周部に装着され、内周が筒状部１１２ｂの後部１１２ｆより後方の第２軸部１１５ｂ外周に装着されている。ここでは、第３支持部１１４ｃが、筒状部１１２ｂの後部１１２ｆと第１支持部１１４ａとをともに支持しているので、スプール軸１１５の支持構造が簡素になる。また、第１支持部１１４ａは、後端部が第３支持部１１４ｃの後端部より前側に位置するように配置されている。このため、第１支持部１１４ａを前方に配置することができるので、スプール軸１１５の支持構造全体の前後長さを短くできる。
【００７６】
第２支持部１１４ｂは、図５に示すように、第１軸部１１５ａの外周に装着された転がり軸受である。第２支持部１１４ｂは、外輪がナット部材１１３の前端側内周部に装着され、内輪が筒状部１１２ｂの前部１１２ａより前方の第１軸部１１５ａ外周に装着されている。
【００７７】
オシレーティング機構１０６は、図４に示すように、スプール１０４の中心部にドラグ機構１６０を介して連結されたスプール軸１１５を前後方向に移動させてスプール１０４を同方向に移動させるための機構である。オシレーティング機構１０６は、トラバースカム式のものであり、ピニオンギア１１２の歯部１１２ｃに噛み合う中間ギア１２０と、リールボディ１０２ａにスプール軸１１５と平行な軸回りに回転自在に装着された螺軸１２１と、螺軸１２１の回転により前後移動するスライダ１２２とを有している。スライダ１２２にスプール軸１１５の後端部が回転不能かつ軸方向移動不能に取り付けられている。
【００７８】
次に、リールの操作及び動作について詳細に説明する。
【００７９】
キャスティング時には図示しない逆転防止機構によりロータ１０３を逆転禁止状態にして手でベールアームを持ってベールアーム１１７を糸開放姿勢に反転させる。ベールアーム１１７が糸開放姿勢に倒れた状態では、スプール１０４からの釣り糸を容易に繰り出すことが可能である。
【００８０】
この状態で釣竿を握る手の人差し指で釣り糸を引っ掛けながら釣竿をキャスティングする。すると釣り糸は仕掛けの重さにより勢いよく放出される。
【００８１】
キャスティング後に、ベールアーム１１７を糸開放姿勢に維持したままの状態でハンドル１０１を糸巻き取り方向に回転させると、ロータ駆動機構１０５によりロータ１０３が糸巻き取り方向に回転する。ロータ１０３が糸巻き取り方向に回転すると、ベールアーム１１７がベール反転機構１１８により糸巻き取り姿勢に復帰する。
【００８２】
このようなスピニングリールでは、前記実施形態と同様に、ピニオンギア１１２の筒状部１１２ｂの後部１１２ｆより後方及び筒状部１１２ｂの前部１１２ａより前方のスプール軸１１５外周をそれぞれ支持する第１支持部１１４ａ及び第２支持部１１４ｂを設けることにより、ピニオンギア１１２の内周部とスプール軸１１５との間に全長にわたって隙間１１２ｅが生成される。したがって、ピニオンギア１１２の内周部とスプール軸１１５の外周部とが接触しなくなるので、スプール軸１１５とピニオンギア１１２との摩擦力がさらに増加することがなくなり、このためロータ１０３の回転効率の低下をさらに抑えることができる。
【００８３】
また、ここでは、スプール軸１１５は、最後方へ移動させたとき後端部が第１支持部１１４ａより前側に設けられた第１軸部１１５ａと、第１軸部１１５ａの後部に第１軸部１１５ａより小径に形成され外周が第１支持部１１４ａに支持される第２軸部１１５ｂとを有している。したがって、第１支持部１１４ａとスプール軸１１５との摩擦力を減少させることができるので、スプール軸１１５の摺動効率の低下を抑えることができる。
【００８４】
（ｂ）  前記他の実施形態（ａ）では、第１支持部１１４ａは、後端部が第３支持部１１４ｃの後端部より前側に位置するように配置されていたが、図６に示すように、第１支持部１１４ａの後端部が第３支持部１１４ｃの後端部より後側に位置するように配置してもよい。なお、ここでは、第１支持部１１４ａは、第３支持部１１４ｃの後端内周部に支持されるのではなく、第３支持部１１４ｃが装着される取付凹部１０２ｇの内周部に支持されている。このため、取付凹部１０２ｇは、第１支持部１１４ａと第３支持部１１４ｃとをともに支持しているので、スプール軸支持構造が簡素になる。
【００８５】
（ｃ）  前記実施形態では、第２支持部１４ｂは、転がり軸受であったが、図７に示すように、滑り軸受であってもよい。また、第１支持部１４ａ、第３支持部１４ｃ及び第４支持部１４ｄについても、転がり軸受又は滑り軸受のいずれかを任意の組み合わせで選択できる。また、滑り軸受は、合成樹脂製のブッシュ部材に限定されるものではなく、他の材質の部材であってもよい。
【００８６】
（ｄ）  図８に示すように、歯部１２ｃの前部に設けられた第３支持部１４ｃの前部に、第４支持部１４ｄを隣接して配置する構成にしてもよい。この場合、第３支持部１４ｃ及び第４支持部１４ｄが、歯部１２ｃの前部に隣接して配置されているので、リール全体の大型化を防止できる。
【図面の簡単な説明】
【００８７】
【図１】本発明の一実施形態を採用したスピニングリールの左側面断面図。
【図２】ピニオンギア周辺の側面断面拡大図。
【図３】他の実施形態を採用したスピニングリールの左側面図。
【図４】他の実施形態の図１に相当する図。
【図５】他の実施形態の図２に相当する図。
【図６】他の実施形態の図５に相当する図。
【図７】他の実施形態の図２に相当する図。
【図８】他の実施形態の図２に相当する図。
【符号の説明】
【００８８】
１  ハンドル
２  リール本体
２ｇ  取付凹部
２ｈ  装着凹部
３  ロータ
４  スプール
５  ロータ駆動機構
６  オシレーティング機構
１０  ハンドル軸
１１  フェースギア
１２  ピニオンギア
１２ａ  前部
１２ｂ  筒状部
１２ｃ  歯部
１２ｄ  装着部
１２ｅ  隙間
１２ｆ  後部
１２ｇ  雄ねじ部
１２ｈ  面取り部
１２ｉ  中間部
１３  ナット部材
１３ａ  リテーナ
１３ｂ  ねじ部材
１３ｃ  雌ねじ部
１３ｄ  装着凹部
１４ａ  第１支持部
１４ｂ  第２支持部
１４ｃ  第３支持部
１４ｄ  第４支持部
１５  スプール軸
１５ａ  第１軸部
１５ｂ  第２軸部
【図１】
2006333706.tif 000003
【図２】
2006333706.tif 000004
【図３】
2006333706.tif 000005
【図４】
2006333706.tif 000006
【図５】
2006333706.tif 000007
【図６】
2006333706.tif 000008
【図７】
2006333706.tif 000009
【図８】
2006333706.tif 000010